(57)【要約】【課題】  本考案は、ヒール補強芯体の上端部に固定釘が通過できる固定釘通過切欠部を形成することにより、ヒール補強芯体に邪魔されることなく固定釘をヒールに打ち込んでヒールを確実に靴の踵部に固定することができるヒール補強芯体を提供する。【解決手段】  このヒール補強芯体１０は上端部１４は漏斗状に形成され、上端部１４の正面部１４Ａにはハイヒール１を靴３に固定させるための固定釘４が通過できる第１固定釘通過切欠部１６が切り欠き形成されている。また、前記上端部１４の正面部１４Ａと対向する背面部１４Ｂには第１固定釘通過切欠部１６と対向してヒール１を靴３に固定させるための固定釘４が通過できる第２固定釘通過切欠部１８が切り欠き形成されている。この第２固定釘通過切欠部１８は前記第１固定釘通過切欠部１６よりも浅く切り欠き形成されている。【選択図】  図１
0003111684.tif 000002
【実用新案登録請求の範囲】
【請求項１】
靴に固定されるヒールに埋設されてヒールを補強するヒール補強芯体であって、このヒール補強芯体の上端部に切り欠き形成されてヒールを靴の踵部に固定する固定釘が通過可能な第１固定釘通過切欠部と、前記上端部に第１固定釘通過切欠部と対向して切り欠き形成されてヒールを靴の踵部に固定する固定釘が通過可能な第２固定釘通過切欠部と、を有してなることを特徴とするヒール補強芯体。
【請求項２】
靴に固定されるヒールに埋設されて使用されるパイプ状のヒール補強芯体であって、このヒール補強芯体に形成された漏斗状の上端部と、この上端部の第１面部に切り欠き形成されてヒールを靴の踵部に固定する固定釘が通過可能な第１固定釘通過切欠部と、前記上端部の第１面部と対向する第２面部に欠き形成されてヒールを靴の踵部に固定する固定釘が通過可能な第２固定釘通過切欠部と、を有してなることを特徴とするヒール補強芯体。
【請求項３】
靴に固定されるヒールに埋設されて使用されるパイプ状のヒール補強芯体であって、このヒール補強芯体に形成された漏斗状の上端部と、この上端部の第１面部に切り欠き形成されてヒールを靴の踵部に固定する固定釘が通過可能な第１固定釘通過切欠部と、前記上端部の第１面部と対向する第２面部に第１固定釘通過切欠部よりも浅く切り欠き形成されてヒールを靴の踵部に固定する固定釘が通過可能な第２固定釘通過切欠部と、を有してなることを特徴とするヒール補強芯体。
【考案の詳細な説明】
【技術分野】
【０００１】
本考案は、主に婦人靴等の靴に固定されて用いられるハイヒール等のヒールに埋設されて前記ヒールを補強するヒール補強芯体に関する。
【背景技術】
【０００２】
図５に示されるように、婦人靴等にはヒールとしてのハイヒール１が使用されることが多い。
このハイヒール１には強度補強として細い金属パイプ等で形成されたヒール補強芯体２が埋設されている。
ところで、前記ハイヒール１は靴３の踵部３Ａに確実に固定する必要があるため、靴３の内側から固定釘４を打ち込んで前記ハイヒール１を靴３の踵部３Ａに確実に固定している。
しかし、前記ハイヒール１の中心部近くにはヒール補強芯体２が埋設されているので固定釘４を打ち込む場合は前記ヒール補強芯体２を避けるようにしてハイヒール１の前部（図５に示す）又はハイヒール１の後部に固定釘４を打ち込んでいる。
しかし、ハイヒール１を確実に靴３の踵部３Ａに固定するためにも固定釘４をハイヒール１の中心部近くに打ち込むことが好ましい。
【考案の開示】
【考案が解決しようとする課題】
【０００３】
本考案は、上記事実に鑑みなされたものでありヒール補強芯体の上端部に固定釘が通過できる固定釘通過切欠部を形成することにより、ヒール補強芯体に邪魔されることなく固定釘をヒールに打ち込んでヒールを確実に靴の踵部に固定することができるヒール補強芯体を提供するものである。
【課題を解決するための手段】
【０００４】
請求項１の考案は、靴に固定されるヒールに埋設されてヒールを補強するヒール補強芯体であって、このヒール補強芯体の上端部に切り欠き形成されてヒールを靴の踵部に固定する固定釘が通過可能な第１固定釘通過切欠部と、前記上端部に第１固定釘通過切欠部と対向して切り欠き形成されてヒールを靴の踵部に固定する固定釘が通過可能な第２固定釘通過切欠部と、を有していることを特徴としている。
請求項２の考案は、靴に固定されるヒールに埋設されて使用されるパイプ状のヒール補強芯体であって、このヒール補強芯体に形成された漏斗状の上端部と、この上端部の第１面部に切り欠き形成されてヒールを靴の踵部に固定する固定釘が通過可能な第１固定釘通過切欠部と、前記上端部の第１面部と対向する第２面部に欠き形成されてヒールを靴の踵部に固定する固定釘が通過可能な第２固定釘通過切欠部と、を有していることを特徴としている。
請求項３の考案は、靴に固定されるヒールに埋設されて使用されるパイプ状のヒール補強芯体であって、このヒール補強芯体に形成された漏斗状の上端部と、この上端部の第１面部に切り欠き形成されてヒールを靴の踵部に固定する固定釘が通過可能な第１固定釘通過切欠部と、前記上端部の第１面部と対向する第２面部に第１固定釘通過切欠部よりも浅く切り欠き形成されてヒールを靴の踵部に固定する固定釘が通過可能な第２固定釘通過切欠部と、を有していることを特徴としている。
【考案の効果】
【０００５】
本考案のヒール補強芯体は、上端部に固定釘が通過できる固定釘通過切欠部を形成したので固定釘を固定釘通過切欠部に対応して打ち込めばヒール補強芯体に邪魔されることなく固定釘を打ち込むことができるので、ヒールを確実に靴の踵部に固定することができるという優れた効果を有する。
【考案を実施するための最良の形態】
【０００６】
考案を実施するために最良の形態の例として以下のような実施例を示す。
【実施例１】
【０００７】
図１〜図４には本考案のヒール補強芯体の一実施例が示されている。
図１及び図２に示されるように、このヒール補強芯体１０は薄い金属板１２を円筒状にカールさせることによりパイプ状に形成されている。
また、ヒール補強芯体１０の上端部１４は漏斗状に形成されている。この上端部１４の第１面部としての正面部１４Ａにはハイヒール１を靴３に固定させるための固定釘４が通過できる第１固定釘通過切欠部１６が切り欠き形成されている。また、前記上端部１４の正面部１４Ａと対向する第２面部としての背面部１４Ｂには前記第１固定釘通過切欠部１６と対向してヒール１を靴３に固定させるための固定釘４が通過できる第２固定釘通過切欠部１８が切り欠き形成されている。
図２に示されるように、この第２固定釘通過切欠部１８は前記第１固定釘通過切欠部１６よりも浅く切り欠き形成されている。前記第２固定釘通過切欠部１８の切り欠き深さを前記第１固定釘通過切欠部１６よりも浅く切り欠くことにより、前記上端部１４の切り欠き面積を少なくして上端部１４の強度が低下することを防止している。
従って、図４に示されるようにヒール補強芯体１０の上端部１４には前記第１固定釘通過切欠部１６と第２固定釘通過切欠部１８が対向して形成されているので、固定釘４を前記第１固定釘通過切欠部１６と第２固定釘通過切欠部１８に対応させて打ち込めば固定釘４はヒール補強芯体１０に当たらないので確実に固定釘４を打ち込むことができる。
【０００８】
実施例のヒール補強芯体１０の作用を説明する。
このヒール補強芯体１０をハイヒール１に埋設する場合は、ヒール補強芯体１０の上端部１４の第１固定釘通過切欠部１６をハイヒール１の前方側に第２固定釘通過切欠部１８をハイヒール１の後方側に位置するようにして埋設する。
このヒール補強芯体１０が埋設されたハイヒール１を固定釘４を介して靴３の踵部３Ａに固定する場合は固定釘４を前記第１固定釘通過切欠部１６及び第２固定釘通過切欠部１８に対応するようにして打ち込む。このため、前記固定釘４は前記第１固定釘通過切欠部１６及び第２固定釘通過切欠部１８を通過するので、ヒール補強芯体１０には当たらないためヒール補強芯体１０の存在に影響を受けることなく固定釘４をハイヒール１に打ち込むことができる。従って、前記ハイヒール１を確実に靴３の踵部３Ａに固定することができる。
また、本考案のヒール補強芯体１０を使用すればヒール補強芯体１０に影響を受けることなく固定釘４をハイヒール１に打ち込むことができるため、ハイヒール１を更に細くしたり、小型にすることが可能になるので、これによりハイヒール１の形状に流行のデザインを取り入れることができる等のメリットがある。
【０００９】
なお、実施例では第２固定釘通過切欠部１８の切り欠き深さを前記第１固定釘通過切欠部１６の切り欠き深さよりも浅くしたが、第２固定釘通過切欠部１８の切り欠き深さを第１固定釘通過切欠部１６の切り欠き深さと同じにしてもよい。
また、実施例ではヒール補強芯体１０をハイヒール１に埋設する場合は、ヒール補強芯体１０の上端部１４の第１固定釘通過切欠部１６をハイヒール１の前方側に第２固定釘通過切欠部１８をハイヒール１の後方側に位置するようにして埋設したが、ヒール補強芯体１０の上端部１４の第１固定釘通過切欠部１６をハイヒール１の後方側に第２固定釘通過切欠部１８をハイヒール１の前方側に位置するようにして埋設してもよいことは勿論である。
なお、実施例ではヒール補強芯体１０を薄い金属板１２をカールさせてパイプ状に形成したが、ヒール補強芯体１０はパイプ状に限定されるものでなく棒状に形成してもよいことは勿論である。
また、実施例ではヒール補強芯体１０をヒールとしてのハイヒール１に使用した場合を示したが、ヒール補強芯体１０が使用されるヒールはハイヒール１に限定されるものでなく、例えば低いヒール等に使用してもよいことは勿論である。
【図面の簡単な説明】
【００１０】
【図１】実施例のヒール補強芯体の全体斜視図である。
【図２】実施例のヒール補強芯体の正面図である。
【図３】実施例のヒール補強芯体の背面図である。
【図４】実施例のヒール補強芯体の使用状態を示す参考図である。
【図５】従来のヒール補強芯体の使用状態を示す参考図である。
【符号の説明】
【００１１】
１０    ヒール補強芯体
１２    金属板
１４    上端部
１６    第１固定釘通過切欠部
１８    第２固定釘通過切欠部
【図１】
0003111684.tif 000003
【図２】
0003111684.tif 000004
【図３】
0003111684.tif 000005
【図４】
0003111684.tif 000006
【図５】
0003111684.tif 000007